(57)【要約】【課題】本発明は、集塵装置と、それを備えた管理庫に関するもので、管理体が外気に含まれる塵埃の影響を受けにくく、適切な管理が行えるようにすることを目的とする。【解決手段】そして、この目的を達成するために本発明は、本体ケース６内に配置した塵埃旋回分離手段９は、送風機１１Ａによって供給された本体ケース６外の空気から塵埃を分離した後の空気を、前記排気口８を介して本体ケース６外に排出するとともに、この塵埃旋回分離手段９によって分離した塵埃は貯留部２１に溜める構成とし、前記貯留部２１には、この貯留部２１に溜めた塵埃を、前記本体ケース６外に排出させる排出口２２と、この排出口２２を開閉自在に覆った蓋２３と、この蓋２３を開閉駆動するモータ２５を設け、このモータ２５と前記送風機１１Ａを制御部２７に接続した。【選択図】図８
2016007578.tif 000002
【特許請求の範囲】
【請求項１】
吸気口と排気口を有する本体ケースと、この本体ケース内の前記吸気口と排気口間に配置した塵埃旋回分離手段と、前記吸気口から吸い込んだ本体ケース外の空気を、前記塵埃旋回分離手段を通過させ、前記排気口を介して本体ケース外に排出する送風機とを備え、前記塵埃旋回分離手段は、前記送風機によって供給された本体ケース外の空気から塵埃を分離した後の空気を、前記排気口を介して本体ケース外に排出するとともに、この塵埃旋回分離手段によって分離した塵埃は貯留部に溜める構成とし、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続した集塵装置。
【請求項２】
前記排出口は吸気口よりも下方に設けた請求項１に記載の集塵装置。
【請求項３】
前記制御部は、モータで蓋を開放動作するときに、前記送風機の駆動を停止させる構成とした請求項１、または２に記載の集塵装置。
【請求項４】
前記制御部は、モータで蓋を開放動作する前に、前記送風機の駆動を停止させる構成とした請求項３に記載の集塵装置。
【請求項５】
前記制御部は、モータで蓋を開放動作後、所定時間後に、このモータで蓋を閉成動作させる構成とした請求項１から４のいずれか一つに記載の集塵装置。
【請求項６】
前記制御部は、モータで蓋を開放動作後、所定時間後に、このモータを逆転させて蓋の閉成動作をさせる請求項５に記載の集塵装置。
【請求項７】
前記制御部には、タイマを接続した請求項１から６のいずれか一つに記載の集塵装置。
【請求項８】
前記請求項１から７のいずれか一つに記載の集塵装置を、管理ボックスの換気吸気口部分に配置した管理庫。
【請求項９】
集塵装置の本体ケースの吸気口と、排出口は、管理ボックス外に臨ませ、この集塵装置の本体ケースの吸気口は、管理ボックス内に臨ませた請求項８に記載の管理庫。
【請求項１０】
管理ボックスには、換気排気口を設けた請求項９に記載の管理庫。
【発明の詳細な説明】
【技術分野】
【０００１】
本発明は、塵埃旋回分離手段を備えた集塵装置と、それを備えた管理庫に関するものである。
【背景技術】
【０００２】
例えば、管理ボックスの内部に、発熱をともなう電子機器を収納する管理庫では、管理ボックスに、換気吸気口と換気排気口を設け、送風機によって、管理ボックス外の空気をこの管理ボックス内に導入し、これによって前記電子機器の冷却を行い、その後、暖気を前記換気排気口から管理ボックス外に排出させるようにしている（これに類似する先行文献としては、例えば下記特許文献１が存在する）。
【先行技術文献】
【特許文献】
【０００３】
【特許文献１】特開２００４−２６００５５号公報
【発明の概要】
【発明が解決しようとする課題】
【０００４】
上記従来例においては、管理ボックス外の空気をこの管理ボックス内に導入することで電子機器の冷却を行うことができるが、管理ボックス外の空気には塵埃が含まれているので、電子機器などの管理体の管理という観点では不適切なものであった。
【０００５】
例えば、電子機器が、塵埃で汚れたり、目詰まりを起こしたり、各種動作不良を起こしたりすることがある。
【０００６】
そこで、本発明は、管理体の管理が適切に行えるようにすることを目的とするものである。
【課題を解決するための手段】
【０００７】
そして、この目的を達成するために本発明は、下方に吸気口、この吸気口よりも上方に排気口を有する本体ケースと、この本体ケース内の前記吸気口と排気口間に配置した塵埃旋回分離手段と、前記吸気口から吸い込んだ本体ケース外の空気を、前記塵埃旋回分離手段を通過させ、前記排気口を介して本体ケース外に排出する送風機とを備え、前記塵埃旋回分離手段は、前記送風機によって供給された本体ケース外の空気から塵埃を分離した後の空気を、前記排気口を介して本体ケース外に排出するとともに、この塵埃旋回分離手段によって分離した塵埃は貯留部に溜める構成とし、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続し、これにより所期の目的を達成するものである。
【発明の効果】
【０００８】
以上のように本発明は、下方に吸気口、この吸気口よりも上方に排気口を有する本体ケースと、この本体ケース内の前記吸気口と排気口間に配置した塵埃旋回分離手段と、前記吸気口から吸い込んだ本体ケース外の空気を、前記塵埃旋回分離手段を通過させ、前記排気口を介して本体ケース外に排出する送風機とを備え、前記塵埃旋回分離手段は、前記送風機によって供給された本体ケース外の空気から塵埃を分離した後の空気を、前記排気口を介して本体ケース外に排出するとともに、この塵埃旋回分離手段によって分離した塵埃は貯留部に溜める構成とし、前記貯留部には、この貯留部に溜めた塵埃を、前記本体ケース外に排出させる排出口と、この排出口を開閉自在に覆った蓋と、この蓋を開閉駆動するモータを設け、このモータと前記送風機を制御部に接続したので、管理体の管理が適切に行えるようになる。
【０００９】
すなわち、本発明では、送風機によって供給された本体ケース外の空気から塵埃を、塵埃旋回分離手段によって分離し、その後、排気口を介して本体ケース外に排出する構成としたので、管理体が塵埃の影響を受けにくく、適切な管理が行えるようになるのである。
【００１０】
また、本発明においては、塵埃旋回分離手段によって分離された塵埃は貯留部に溜められるが、モータによって蓋を開放動作させることで、貯留部外に排出することが出来るので、貯留部に塵埃が大量に溜まることで、塵埃旋回分離手段による塵埃分離性能が低下することも、防止できる。
【図面の簡単な説明】
【００１１】
【図１】本発明の実施の形態１にかかる集塵装置を設置した管理庫を示す図
【図２】同集塵装置で前面カバーを外した斜視図
【図３】同集塵装置の縦断面図
【図４】同集塵装置の前面カバーを外した正面図
【図５】同集塵装置の塵埃旋回分離手段の正面側の斜視図
【図６】同集塵装置の塵埃旋回分離手段の背面側の斜視図
【図７】同集塵装置の塵埃旋回分離手段の一部の斜視図
【図８】同集塵装置の塵埃旋回分離手段の一部の断面図
【図９】同集塵装置の塵埃旋回分離手段の一部の斜視図
【図１０】同集塵装置の制御ブロック図
【図１１】同集塵装置の動作フローチャート
【発明を実施するための形態】
【００１２】
以下、本発明の実施の形態について図面を参照しながら説明する。
【００１３】
（実施の形態１）
図１において、１は箱型の管理ボックスで、内部には、携帯電話の基地局やサーバー等の管理体２が収納されている。
【００１４】
この管理体２は通電により発熱をともなうので、本実施形態では、管理ボックス１外の空気を、換気吸気口３部分から管理ボックス１内に導入し、前記管理体２を冷却し、それによって暖気となった空気を換気排気口４から管理ボックス１外に排出することで、前記管理体２の冷却を行うようにしている。
【００１５】
本実施形態で特徴的なのは、管理ボックス１の換気吸気口３部分に集塵装置５を設けたことである。
【００１６】
つまり、管理ボックス１外の空気に含まれる塵埃を、集塵装置５によって取り除き、塵埃が取り除かれた空気を管理ボックス１内に導入し、前記管理体２を冷却し、それによって暖気となった空気を換気排気口４から管理ボックス１外に排出することで、前記管理体２の冷却を行うようにしているのである。
【００１７】
前記集塵装置５は、図２、図３に示すように、直方体形状（立方体形状でも良い）の本体ケース６を有し、その前面側全面を長方形の吸気口７、背面側全面を長方形の排気口８としている。
【００１８】
また、図３のごとく、本体ケース６内の前記吸気口７と排気口８間には、吸気口７から排気口８に向けて、順に、塵埃旋回分離手段９、フィルター１０Ａ、送風機１１Ａを配置している。
【００１９】
塵埃旋回分離手段９は、図４〜図６に示すように、旋回流を形成するための円筒体１０を複数個縦方向に並べた円筒連結体１１、１２、１３、１４、１５、１６を備えている。
【００２０】
また、円筒連結体１１と１２間、円筒連結体１３と１４間、円筒連結体１５と１６間には、集塵通路１７を設けている。
【００２１】
つまり、各円筒連結体１１、１２、１３、１４、１５、１６を構成する円筒体１０は図７〜図９に示すように、流入口１７Ａから流入した空気を、旋回案内板１８によって旋回させ、この旋回により、空気中に含まれている塵埃を排出穴１９から集塵通路１７内に分離、排出し、塵埃が除かれた空気を流出口２０から図３のフィルター１０Ａ方向に流出させるようにしている。
【００２２】
具体的には、円筒連結体１１は図４の右側に排出穴１９が設けられ、この排出穴１９を介して右側の集塵通路１７に連通させている。
【００２３】
また、円筒連結体１２は図４の左側に排出穴１９が設けられ、この排出穴１９を介して左側の集塵通路１７に連通させている。
【００２４】
さらに、円筒連結体１３は図４の右側に排出穴１９が設けられ、この排出穴１９を介して右側の集塵通路１７に連通させている。
【００２５】
また、円筒連結体１４は図４の左側に排出穴１９が設けられ、この排出穴１９を介して左側の集塵通路１７に連通させている。
【００２６】
さらに、円筒連結体１５は図４の右側に排出穴１９が設けられ、この排出穴１９を介して右側の集塵通路１７に連通させている。
【００２７】
また、円筒連結体１６は図４の左側に排出穴１９が設けられ、この排出穴１９を介して左側の集塵通路１７に連通させている。
【００２８】
このような複数本の集塵通路１７の下部には、塵埃旋回分離手段９によって分離された塵埃が下降し、蓄積される貯留部２１が設けられている。
【００２９】
また、この貯留部２１には、図８、図９のごとく、この貯留部２１に溜めた塵埃を、前記本体ケース６外に排出させる排出口２２と、この排出口２２を開閉自在に覆った蓋２３と、この蓋２３を、ギア２４を介して開閉駆動するモータ２５を設けている。
【００３０】
また、このモータ２５と前記送風機１１Ａは、タイマ２６とともに、制御部２７に接続されている。
【００３１】
なお、前記排出口２２は、本体ケース６の下方に開口させているので、吸気口７よりも下方に設けた状態と成っている。
【００３２】
以上の構成において、送風機１１Ａは常時通電された状態となっているので、管理ボックス１外の空気に含まれる塵埃を、集塵装置５によって取り除き、塵埃が取り除かれた空気を管理ボックス１内に導入し、前記管理体２を冷却し、それによって暖気となった空気を換気排気口４から管理ボックス１外に排出することとなり、この結果として、前記管理体２の冷却を行うことができる。
【００３３】
具体的には、塵埃旋回分離手段９は、図４〜図６に示すように、旋回流を形成するための円筒体１０を複数個縦方向に並べた円筒連結体１１、１２、１３、１４、１５、１６を備えている。
【００３４】
また、円筒連結体１１と１２間、円筒連結体１３と１４間、円筒連結体１５と１６間には、集塵通路１７を設けている。
【００３５】
つまり、各円筒連結体１１、１２、１３、１４、１５、１６を構成する円筒体１０は図７〜図９に示すように、流入口１７Ａから流入した空気を、旋回案内板１８によって旋回させ、この旋回により、空気中に含まれている塵埃を排出穴１９から集塵通路１７内に分離、排出し、塵埃が除かれた空気を流出口２０から図３のフィルター１０Ａ方向に流出させるようにしている。
【００３６】
このため、塵埃が取り除かれた空気がフィルター１０Ａを介して管理ボックス１内に導入され、これで、前記管理体２を冷却することができるのである。
【００３７】
なお、管理ボックス１外の空気に含まれる塵埃の内、例えば１０ミクロン以上の大きな塵埃はこの塵埃旋回分離手段９によって分離、除去することが出来るが、それよりも小さな塵埃の一部は塵埃旋回分離手段９を通過してしまう虞があるので、そのような小さな塵埃はフィルター１０Ａを介して管理ボックス１内に導入し、これで、前記管理体２を冷却するようにしている。
【００３８】
話を戻し、塵埃旋回分離手段９で分離され、排出穴１９から集塵通路１７内に排出された塵埃は、下降し、貯留部２１内に溜められることになる。
【００３９】
そのような状態で、例えば、午前７時になると、タイマ２６がその時間を検出し（図１１のＳ１）、次に、制御部２７によって送風機１１Ａへの通電を停止し、送風機１１Ａを停止し（図１１のＳ２）、その後、モータ２５を正回転させる（図１１のＳ３）。
【００４０】
その結果、排出口２２を開閉自在に覆った蓋２３が図８、図９のように開放動作され、これにより、この貯留部２１に溜まった塵埃は、排出口２２から、自重により、前記本体ケース６外に排出される。
【００４１】
本実施形態において、この排出口２２は管理ボックス１外に位置しているので、上記溜まった塵埃は、管理ボックス１外に排出されることとなる。
【００４２】
また、このとき、制御部２７によって送風機１１Ａへの通電を停止し、送風機１１Ａを停止しているので、屋外に廃棄された塵埃が、再び、吸気口７から本体ケース６内に吸い込まれることは少ない。
【００４３】
また、排出口２２を吸気口７よりも下方に配置していることからも、再び、吸気口７から本体ケース６内に吸い込まれることを抑制することが出来る。
【００４４】
その後、例えば午前７時１０分になると（図１１のＳ４）、モータ２５を逆回転させ、蓋２３の閉成動作を行わせる（図１１のＳ５）。
【００４５】
その結果、排出口２２は蓋２３によって閉じられることとなる。
【００４６】
次に、制御部２７はモータ２５で蓋２３を開放動作後、所定時間後に、送風機１１Ａを駆動し、再び、外気によって管理体２の冷却を行う（図１１のＳ６）。
【００４７】
なお、この実施形態では、管理体２が例えば、携帯通信機の基地局などのように、山中などの遠隔地に設置されるもので、上述した貯留部２１に溜まった塵埃を、排出口２２から、前記本体ケース６外に排出しても、近隣への迷惑をかけることは無い。
【００４８】
それよりも、このように貯留部２１に溜まった塵埃を、排出口２２から、前記本体ケース６外に自動的に排出できることは、遠隔地で、メンテナンスが困難な地域に管理体２が設置されている状況では、極めて利便性の高いものと成る。
【産業上の利用可能性】
【００４９】
以上のように本発明は、送風機によって供給された本体ケース外の空気から塵埃を、塵埃旋回分離手段によって分離し、その後、排気口を介して本体ケース外に排出する構成としたので、管理体が外気に含まれる塵埃の影響を受けにくく、適切な管理が行えるようになるのである。
【００５０】
また、本発明においては、塵埃旋回分離手段によって分離された塵埃は貯留部に溜められるが、モータによって蓋を開放動作させることで、貯留部外に排出することが出来るので、貯留部に塵埃が大量に溜まることで、塵埃旋回分離手段による塵埃分離性能が低下することも、防止できる。
【００５１】
したがって、各種管理体の冷却を行う集塵装置として活用することが期待される。
【符号の説明】
【００５２】
１  管理ボックス
２  管理体
３  換気吸気口
４  換気排気口
５  集塵装置
６  本体ケース
７  吸気口
８  排気口
９  塵埃旋回分離手段
１０  円筒体
１０Ａ  フィルター
１１Ａ  送風機
１１  円筒連結体
１２  円筒連結体
１３  円筒連結体
１４  円筒連結体
１５  円筒連結体
１６  円筒連結体
１７  集塵通路
１７Ａ  流入口
１８  旋回案内板
１９  排出穴
２０  流出口
２１  貯留部
２２  排出口
２３  蓋
２４  ギア
２５  モータ
２６  タイマ
２７  制御部
【図１】
2016007578.tif 000003
【図２】
2016007578.tif 000004
【図３】
2016007578.tif 000005
【図４】
2016007578.tif 000006
【図５】
2016007578.tif 000007
【図６】
2016007578.tif 000008
【図７】
2016007578.tif 000009
【図８】
2016007578.tif 000010
【図９】
2016007578.tif 000011
【図１０】
2016007578.tif 000012
【図１１】
2016007578.tif 000013